(57)【特許請求の範囲】
【請求項１】
住棟内に設置された住戸インターホンと、外部のネットワーク上のコンテンツサーバとを接続制御する機能を有した通信ネットワーク対応型集合住宅用インターホンシステムにおいて、
前記住戸には、住戸の電力使用量を計測する計測装置を設けるとともに、
前記住棟内には、前記住戸インターホンを、インターホン回線を通じて、前記外部のネットワーク上のコンテンツサーバに接続させるゲートウェイ機能を備えたシステム制御装置を備えるとともに、前記インターホン回線とは異なる住棟LANを敷設して、この住棟LANに前記計測装置を接続付加してあり、
前記住戸インターホンは、ブラウザを有し、所定の操作を受け付けると、前記システム制御装置を通じて、前記コンテンツサーバからエネルギー情報画面をダウンロードして表示する構成にしており、
前記計測装置は、信号線によって前記住戸インターホンに直接接続され、計測した電力使用量が所定の基準値を超えたときには、該信号線に通知信号を出力する一方、
前記住戸インターホンは、前記信号線に出力された通知信号に基づいて、電力使用状態をリアルタイムに表示する構成にしている、通信ネットワーク対応型集合住宅用インターホンシステム。
【請求項２】
請求項１に記載の通信ネットワーク対応型集合住宅用インターホンシステムにおいて、
前記コンテンツサーバは、エネルギー消費に関するアドバイスを含めたエネルギー情報画面を提供する、通信ネットワーク対応型集合住宅用インターホンシステム。
【発明の詳細な説明】
【技術分野】
【０００１】
本発明は、住戸インターホンとインターネットなどの通信ネットワーク上のサービスサーバとの通信接続を制御する機能を有した集合住宅用インターホンシステムに関する。
【背景技術】
【０００２】
現在、住戸の設備機器を制御するためのホームオートメーションシステムが複数提供されているが、その中には例えば非特許文献１に記載されているように、現在の電力使用量などの各種情報をパネル表示するものもある。
【０００３】
非特許文献１に記載のシステムは、HA端子などを設けた制御盤に、電力計測機能を有した分電盤と、表示操作パネルとが接続された基本構成で、制御盤は通信プロバイダーを介してインターネット上のサービスサーバにも接続されている。このサービスサーバは、エネルギー消費に関するアドバイスなどを提供する他、電力使用量を長期間蓄積するためにも使用できるようになっている。
【先行技術文献】
【非特許文献】
【０００４】
【非特許文献１】http://denko.panasonic.biz/Ebox/kahs_eco/index.html
【発明の概要】
【発明が解決しようとする課題】
【０００５】
また集合住宅においても、住戸の電力使用量を抑えたいという要望がある。しかしその解決として非特許文献１に記載のシステムを導入するとなると相当なコストがかかる。なぜなら、そのようなシステムでは、制御盤は分電盤から受信した電力使用量などに基づいて電力モニタ画面を生成したりその画面を表示させたりする機能のために複雑で高価なこと、さらにそのような制御盤を各住戸に設置する必要があり、この点で普及化に対して改善すべき問題点を残している。
【０００６】
そこで本発明は、住戸の電力使用に関するエネルギー情報を住戸インターホンに表示できるようにした集合住宅用インターホンシステムを低コストで提供することを目的とする。
【課題を解決するための手段】
【０００７】
本発明は、住棟内に設置された住戸インターホンと、外部のネットワーク上のコンテンツサーバとを接続制御する機能を有した通信ネットワーク対応型集合住宅用インターホンシステムにおいて、前記住戸には、住戸の電力使用量を計測する計測装置を設けるとともに、前記住棟内には、前記住戸インターホンを、インターホン回線を通じて、前記外部のネットワーク上のコンテンツサーバに接続させるゲートウェイ機能を備えたシステム制御装置を備えるとともに、前記インターホン回線とは異なる住棟LANを敷設して、この住棟LANに前記計測装置を接続付加してあり、前記住戸インターホンは、ブラウザを有し、所定の操作を受け付けると、前記システム制御装置を通じて、前記コンテンツサーバからエネルギー情報画面をダウンロードして表示する構成にしている。
【０００８】
前記計測装置は、信号線によって前記住戸インターホンに直接接続され、計測した電力使用量が所定の基準値を超えたときには、該信号線に通知信号を出力する 一方、前記住戸インターホンは、前記信号線に出力された通知信号に基づいて、電力使用状態をリアルタイムに表示する構成にする。
【０００９】
前記コンテンツサーバは、エネルギー消費に関するアドバイスを含めたエネルギー情報画面を提供するとよい。
【発明の効果】
【００１０】
本発明システムによれば、計測装置は住戸の電力使用量を住棟LANを通じてコンテンツサーバに通知し、住戸インターホンは、コンテンツサーバによって生成されたエネルギー情報画面をダウンロードして表示するように構成すればよいので、計測装置や住戸インターホンの構成が簡単になり、全体的なコストが抑えられる。
【００１１】
例えば仮に非特許文献１に記載のシステムを住棟の各住戸に設置したとすれば、制御盤のそれぞれがエネルギー情報画面を並列的に生成することになる。これに対して本発明の構成では共通のコンテンツサーバによって各住戸用のエネルギー情報画面が生成されるので、画面生成のための構成が重複せず、それだけ低コストになる。
【図面の簡単な説明】
【００１２】
【図１】本発明システムの基本構成を示したブロック図である。
【図２】住戸インターホンの外観図である。
【図３】本発明システムの装置構成を示した機能ブロック図である。
【図４】（ａ）、（ｂ）はエネルギー情報画面の表示例である。
【図５】（ａ）、（ｂ）はそれぞれ電力使用量のレベルを示すアイコンの例である。
【図６】本発明システムにおける基本的な信号伝送を示したフロー図である。
【発明を実施するための形態】
【００１３】
図１は、本発明システムの基本構成を示している。
図に示す集合住宅用インターホンシステムは、住棟の各住戸に設置された住戸インターホン１１と、住棟ロビーに設置されたロビーインターホン１２と、システム制御装置１４とを備え、その他、後述するような装置を含んで構成されている。しかし本発明システムが適用可能なインターホンシステムは、ロビーインターホン１２から各住戸に設置された住戸インターホン１１を呼出し、通話制御を行う基本機能を少なくとも備えていればよい。
【００１４】
住戸インターホン１１は、外部ネットワーク上のコンテンツサーバ２０などからホームページコンテンツなどをダウンロードして表示する、いわゆるブラウズ機能を備えたWebブラウザ部１１ｈを内蔵した住宅情報盤として構成され、ドアホン１５やセキュリティセンサ１６などが接続されている。そしてインターホン回線１５に接続するための第１の接続端子１１ａと、計測装置３などに接続するための第２の接続端子１１ｂとを備えている。ここに、外部ネットワークは、利用者を一般公衆に開放しているインターネット２１が代表的ではあるが、加入者の制限された専用ネットワークであってもよい。なお外部ネットワークの替わりに住棟ネットワークを用いた構成にも本発明は適用でき、その場合には、後述するコンテンツサーバ２０はその住棟ネットワークに接続すればよい。
【００１５】
また図２に示しているように、住戸インターホン１１は、表示操作部を構成するタッチパネル１１ｃ、メニューキー１１ｄ、通話キー１１ｅや、通話部を形成するスピーカ１１ｆ、マイク１１ｇなどをさらに備えている。ここでメニューキー１１ｄの中で本発明に関連するキーには「エネルギー」の文字が点灯表示されている。図例のものは、ハンズフリー通話を想定してハンドセットを設けていないが、ハンドセットを設けた構成であってもよい。
【００１６】
住戸インターホン１１は、第１の接続端子１１ａと第２の接続端子１１ｂとを備えており、第１の接続端子１１ａは、例えばツイストペアケーブルで構成されたインターホン回線１５に接続するための端子であり、第２の接続端子１１ｂは、信号線によって計測装置３に接続するための端子である。
【００１７】
ロビーインターホン１２は、呼出し先の部屋番号を指定するための操作部や、通話部を構成するスピーカ、マイク（図示なし）などを備えている。
【００１８】
認証端末７は、カードキーなどによって住戸人を認証するための操作端末で、ロビーインターホン１２と一体に、あるいは別体としてその近傍に設けられている。認証端末７が読み取ったカードキーの情報は、システム制御装置１４に接続された認証装置８によって認証され、ロビー扉や住戸扉の電気錠（図示なし）を解錠することができる。
【００１９】
警報監視盤（管理人室機）１３は、表示操作部を構成するタッチパネルや、通話部を構成するハンドセットや、異常報知手段を構成する警報ランプ、スピーカ（図示なし）などを備えている。
【００２０】
システム制御装置１４は、基本的には住戸インターホン１１と、ロビーインターホン１２、警報監視盤１３との通信を制御する装置であるが、住戸インターホン１１と、インターネット２１に設置されたサーバ装置との通信を可能にするためにアドレス変換などを行うゲートウェイ機能を有している。
【００２１】
コンテンツサーバ２０は、電力使用に関する統計情報やアドバイスをコンテンツとしたエネルギー情報画面を提供するサーバ装置である。
【００２２】
計測装置３は電力メータ１７に接続されており、住戸の現在の電力使用量を計測して住棟LAN１８を通じてコンテンツサーバ２０に通知するもので、分電盤として構成されている。電力使用量の計測機能に加えて、計測した電力使用量が基準レベルを超過しているときには、通知信号を住戸インターホン１１に信号線１９を通じて通知する機能をさらに有してもよい。ここに通知信号は接点信号であってもよい。
【００２３】
なお住棟LAN１８は、各住戸でパソコンなどの通信機器をインターネット２１に自由に接続できるように住棟全体に予め敷設されたネットワークで、インターホン回線１５とは別系統であり、一般のLANケーブルや電力搬送線を用いて構成されている。ここでは住棟LAN１８として、通信プロバイダーによる一般的なネットワークを想定しているが、インターネット２１に接続できるならばＣＡＴＶ用ケーブルネットワークなどでも構わない。
【００２４】
図３は、このシステムにおける各装置の構成をより具体的に説明している。
【００２５】
住戸インターホン１１は、Webブラウザ部１１ｈを備えており、第１の接続端子１１ａはインターホン回線１５によってシステム制御装置１４に接続され、第２の接続端子１１ｂは接点信号線などによって計測装置３に接続されている。なお、システム制御装置１４と通信するためのローカルアドレスが設定されている。
【００２６】
システム制御装置１４は、インターホン回線１５に接続する第１の接続端子１４ａと、インターネット２１に接続する第２の接続端子１４ｂと、ゲートウェイ部１４ｃとを備えている。そして、インターネット２１を通じてコンテンツサーバ２０との通信制御するため、インターホン回線１５を通じて住戸インターホン１１と呼出し、通話制御をするために、インターネット側とインターホン回線側とにそれぞれアドレスが設定されている。
【００２７】
コンテンツサーバ２０は、エネルギー情報画面を生成して提供するWebサーバ部２０ａと、計測装置３からインターネット２１を介して収集した各住戸の電力使用量を蓄積するデータベース２０ｂとを備えている。
【００２８】
計測装置３は、住戸インターホン１１に接続するための第１の接続端子３ａと、住棟LAN１８に接続するための第２の接続端子３ｂと、住戸の電力使用量を計測する計測手段３ｃと、コンテンツサーバ２０と通信するための通信手段３ｄとを備えている。
【００２９】
インターホンシステム１の基本動作を説明すると、住戸インターホン１１とシステム制御装置１４は、インターホン回線１５によって相互に接続されたネットワークを構成しており、TCP/IPによる通信を行う。なお、住戸インターホン１１とシステム制御装置１４との通信は、独自のプロトコルとしてもよいが、その場合でもプロトコル変換によって、TCP/IPによる通信ができるようにする。
【００３０】
また、システム制御装置１４と、ロビーインターホン１２、警報監視盤１３も、TCP/IPによる通信を行うようにすればよい。
【００３１】
インターホンシステム１の基本的な機能や動作は従来と同様である。すなわちロビーインターホン１２で住戸番号を指定した呼出し操作がなされると、システム制御装置１４は、呼び出された住戸のアドレスを指定して、その住戸の住戸インターホン１１を呼び出す。呼び出された住戸インターホン１１で通話キー１１ｅが操作されると、システム制御装置１４は、ロビーインターホン１２とその住戸インターホン１１との間に排他的な音声チャンネルを構成して、訪問者と住戸人との通話を許可する。その後、通話キー１１ｅが再操作されたとき、あるいは所定時間が経過したときに、その音声チャンネルは開放される。なお、ロビーインターホン１２は複数であってもよく、その場合でも音声チャンネルは排他的に制御される。
【００３２】
さらにインターホンシステム１がテレビ式であれば、ロビーインターホン１２で呼出操作がなされてから通話チャンネルが解放されるまでの間、ロビーインターホン１２側に設けられたビデオカメラ（図示なし）と、呼出し先の住戸インターホン１１との間に排他的な映像チャンネルを構成する。このようにすれば、訪問者の映像を住戸インターホン１１でモニタしながら対応できる。
【００３３】
また、警報監視システムとしての基本機能や動作も従来と同様である。すなわち、住戸インターホン１１は、セキュリティセンサ１６が異常発生を検知すると、タッチパネル１１ｃに警報画面を表示するとともに、スピーカ１１ｆから警報メッセージを出力する。また、住戸インターホン１１は、その異常発生を警報監視盤１３に通知する。警報監視盤１３は、その通知を受信すると警報を出力し、管理人の操作に応じて、異常発生を通知してきた住戸インターホン１１や、その近隣の住戸インターホン１１から、避難メッセージなどを出力させる。また、防災センターなどに異常発生を移報することもできる。
【００３４】
次いで本発明の特徴的な動作、すなわちエネルギー情報画面の表示に係る基本動作を説明する。これは要するに、住戸インターホン１１は、所定の操作を受け付けると、Webブラウザ部１１ｈを作動して、システム制御装置１４をゲートウェイとして、コンテンツサーバ２０で提供されるエネルギー情報画面をダウンロードして表示するものである。
【００３５】
エネルギー情報画面を表示させるには、例えば住戸インターホン１１のメニューキー１１ｄを操作すればよい。Webブラウザ部１１ｈには、コンテンツサーバ２０のアドレス（またはURL）が予め記憶されており、メニューキー１１ｄが操作されると、コンテンツサーバ２０への接続が開始される。接続要求信号はインターホン回線１５に出力され、システム制御装置１４に到達する。
【００３６】
システム制御装置１４のゲートウェイ部１４ｃは、接続要求信号の送信先アドレスを判別して、接続要求信号をインターネット２１に送出する。インターネット２１に送出された接続要求信号は、公知のルーティング技術によって複数のルータを経由して、コンテンツサーバ２０に到達する。コンテンツサーバ２０は、その接続要求信号に対する応答信号を出力するが、その応答信号は、先の接続要求信号とは逆の道筋で住戸インターホン１１まで伝送され、住戸インターホン１１とコンテンツサーバ２０との接続が確立する。その後、コンテンツサーバ２０は、住戸インターホン１１のWebブラウザ部１１ｈの要求に従って、HTMLやXMLなどで構成されたエネルギー情報画面をダウンロードさせ、Webブラウザ部１１ｈの表示部、すなわちタッチパネル１１ｃに表示させる。
【００３７】
計測装置３は住戸の電力使用量を、住棟LAN１８を通じて定期的にコンテンツサーバ２０に通知するようになっており、コンテンツサーバ２０は、計測装置３から送信されてきた住戸の電力使用量をデータベース部２０ｂに記録する。電力使用量の通知は、例えば所定時間毎に自発的に行うとよい。しかしもちろんコンテンツサーバ２０が所定時間毎に計測装置３に接続して電力使用量の通知を要求するようにしても構わない。コンテンツサーバ２０は、計測装置３から通知された住戸の電力使用量の履歴を分析して、エネルギー情報画面のコンテンツを生成する。
【００３８】
このように、本発明では共通のコンテンツサーバ２０によって各住戸用のエネルギー情報画面を生成し、各住戸の住戸インターホン１１がその画面をダウンロードして表示する構成になっている。したがって、画面生成のための回路やプログラムはコンテンツサーバ２０のみにあればよく、住戸インターホン１１には不要なので、従来の構成よりも低コストになる。
【００３９】
図４（ａ）はエネルギー情報画面の例である。ここでは、毎月の電力使用量変化がグラフ表示されている。その下には、エコロジーや電力使用に関するアドバイスが表示され、さらにその下には、図４（ｂ）の電力モニタ画面に表示切替させるためのリンクなど複数のリンクが表示されている。なお、エネルギー情報のコンテンツに特段の制限はない。例えば毎週の電力使用量変化、毎月の電力使用量変化、毎年の電力使用量変化などを同時表示あるいは切替表示してもよい。
【００４０】
図４（ｂ）もエネルギー情報画面の例であるが、現在の電力使用量を確認するための電力モニタ画面になっている。画面には時刻とともに、住戸の現在の電力使用量がアナログメータに似せてグラフ表示され、その値も数値表示されている。グラフ表示および数値表示は、例えば１分毎に表示更新するとよい。また、この画面には電力使用量に基づいて、「基準レベルをオーバーしています」などのような警告メッセージも適宜表示するとよい。基準レベルは計測装置３に予め設定しておけばよいが、エネルギー情報画面から管理画面を呼び出せるようにして、そこで自由に入力させてもよい。このとき入力された基準レベルの値は、コンテンツサーバ２０から住棟LAN１８を通じて計測装置３に伝送され、そこに保存される。
【００４１】
上記のような電力モニタ画面を表示させるためには、計測装置３からコンテンツサーバ２０に電力使用量を短い時間間隔で逐次通知する必要がある。しかしながら電力使用量を逐次報知しようとすると、住戸数にもよるが住棟LAN１８の通信帯域が不足することもあり得る。そのためコンテンツサーバ２０は電力モニタ画面の表示開始と終了を計測装置３に通知し、計測装置３はその通知に基づいて電力モニタ画面の表示中のみ電力使用量を逐次通知するとよい。このようにすれば、住棟LAN１８の通信帯域が不足するのを防止できる。
【００４２】
また計測装置３は、現在の電力使用量を、予め設定されているあるいはコンテンツサーバ２０によって入力設定された電力使用の基準レベルと比較して、基準レベル以上であれば、通知信号を第１の接続端子３ａに出力する。住戸インターホン１１は第２の接続端子１１ｂで通知信号を監視しており、監視結果に基づいて警告をリアルタイムに表示する。その表示形態としては、例えばメニューキー１１ｄの「エネルギー」の文字の点灯色を、基準レベル以上のときは赤、基準レベル以下のときは緑というように変化させてもよい。またタッチパネル１１ｃの隅などに、現在の電力使用量が基準レベル以上か否かを示すアイコンを表示してもよい。すなわち、計測装置３は、計測した電力使用量が所定の基準値を超えたときには、信号線１９に通知信号を出力する一方、住戸インターホン１１は、信号線１９に出力された通知信号に基づいて、電力使用状態をリアルタイムに表示する。このような構成では、インターネット２１の通信状態が悪いときでも表示が遅れないので、表示タイミングにより住戸人に違和感を与えることがない。なお、このような電力使用状態の表示は、住戸インターホン１１のタッチパネル１１ｃにトップメニューが表示されているときに行われるようにしてもよい。
【００４３】
図５（ａ）、図５（ｂ）はそのようなアイコンの例で、現在の電力使用量が基準レベルを超過しているときには上矢印アイコン、基準レベル未満であれば下矢印アイコンがタッチパネル１１ｃに表示される。
【００４４】
図６は、本発明システムに係る基本的な信号伝送を時系列的に示したフロー図である。
【００４５】
このフローでは、時刻Ｔ１に住戸インターホン１１でメニューキー１１ｄの操作がなされ、住戸インターホン１１からコンテンツサーバ２０に接続要求信号が送信され、それに対する応答信号がコンテンツサーバ２０から返信されている。そして接続が確立したあと、住戸インターホン１１からコンテンツサーバ２０に画面要求信号が送信され、それに対する画面情報がコンテンツサーバ２０から住戸インターホン１１に返信されている。そして時刻Ｔ２に、その画面情報によって構成されたエネルギー情報画面が住戸インターホン１１で表示されている。
【００４６】
その後時刻Ｔ３に、計測装置３は使用電力が基準レベルを超過していることを検出して、通知信号が出力され、時刻Ｔ４に住戸インターホン１１がその通知信号に基づいて、電力使用状態を変更表示している。
【００４７】
また時刻Ｔ５は使用電力をコンテンツサーバ２０に通知する時刻となり、計測装置３からコンテンツサーバ２０に接続要求信号が送信され、それに対する応答信号がコンテンツサーバ２０から返信されている。そして接続が確立したあと、計測装置３からからコンテンツサーバ２０に電力使用量が通知されている。そして時刻Ｔ６にコンテンツサーバ２０は、その電力使用量をデータベース１４ｃに記憶している。
【符号の説明】
【００４８】
１           集合住宅用インターホンシステム
３           計測装置
１１       住戸インターホン
１１ｈ    Webブラウザ
１４       システム制御装置
１５       インターホン回線
１８       住棟LAN
１９       信号線
２０       コンテンツサーバ
２１       通信ネットワーク（インターネット）
【図１】
0005587742.tif 000002
【図２】
0005587742.tif 000003
【図３】
0005587742.tif 000004
【図４】
0005587742.tif 000005
【図５】
0005587742.tif 000006
【図６】
0005587742.tif 000007